(57)【要約】【課題】タッチパネルを備える携帯端末機の入力判定装置及び方法。【解決手段】携帯端末機の入力判定装置が、タッチパネルを備えるタッチスクリーンと、タッチサイズ及びタッチインタラクションに対応するアプリケーションの機能実行情報を格納するメモリーと、前記タッチパネルのタッチ感知時にタッチサイズ及びタッチインタラクションを判定し、前記メモリーで判定された前記タッチサイズ及びタッチインタラクションに対応する機能実行情報を決めて実行中のアプリケーションの機能を制御する制御部と、から構成される。【選択図】図２
2013097798.tif 000002
【特許請求の範囲】
【請求項１】
携帯端末機の入力判定装置において、
タッチパネルを備えるタッチスクリーンと、
タッチサイズ及びタッチインタラクションに対応するアプリケーションの機能実行情報を格納するメモリーと、
前記タッチパネルのタッチ感知時にタッチサイズ及びタッチインタラクションを判定し、前記メモリーで判定された前記タッチサイズ及びタッチインタラクションに対応する機能実行情報を決定して実行中のアプリケーションの機能を制御する制御部と、
から構成されたことを特徴とする装置。
【請求項２】
前記制御部が、
前記タッチパネルで感知されるタッチ信号と設定されたｓｉｚｅ  ｔｈｒｅｓｈｏｌｄとを比べてタッチサイズを感知するサイズ感知部と、
前記タッチサイズの位置変更を分析してタッチインタラクションを判定するインタラクション判定部と、
前記メモリーで判定された前記タッチサイズ及びタッチインタラクションに対応するアプリケーションの機能実行情報を確認してタッチ入力を判定する入力判定部と、
を備えることを特徴とする請求項１に記載の装置。
【請求項３】
前記タッチサイズは、指、手刀及び掌などのタッチにより別々の大きさとして感知されることを特徴とする請求項２に記載の装置。
【請求項４】
前記タッチインタラクションは、ツイスト、スイープ、停止のいずれか一つであることを特徴とする請求項２に記載の装置。
【請求項５】
前記入力判定部は、指のタッチディテクションサイズ及びツイストのタッチインタラクションであれば写真回転と、手刀のタッチサイズ及びスイープのタッチインタラクションであれば写真キャプチャーと、掌のタッチサイズ及び停止のタッチインタラクションであれば動画一時停止入力と判定することを特徴とする請求項４に記載の装置。
【請求項６】
前記制御部が、
前記タッチパネルの出力とタッチ判定基準値の第１基準値とを比べてタッチ発生の有無を判定するタッチ判定部と、
前記タッチパネルの出力とサイズ判定基準値の第２基準値とを比べてタッチサイズを感知し、前記第２基準値は前記第１基準値よりも小さな値を有するサイズ感知部と、
前記タッチサイズの位置変更を分析してタッチインタラクションを判定するインタラクション判定部と、
前記タッチ判定部におけるタッチ判定時に、前記メモリーで判定されたタッチディテクションサイズ及びタッチインタラクションに対応するアプリケーションの機能実行情報を判定する入力判定部と、
を備えることを特徴とする請求項１に記載の装置。
【請求項７】
前記タッチパネルは静電容量方式であり、Ｎ×Ｍのノード数を有するタッチパネルであることを特徴とする請求項６に記載の装置。
【請求項８】
前記サイズ感知部は、前記タッチパネルのＮ×Ｍのノードの出力と前記第２基準値とを比べて、前記第２基準値を超えるノードの数をカウントしてタッチサイズとして感知することを特徴とする請求項７に記載の装置。
【請求項９】
前記タッチサイズは、指、手刀及び掌などによって別々に感知され、前記タッチインタラクションは、ツイスト、スイープ、停止のいずれか一つであることを特徴とする請求項８に記載の装置。
【請求項１０】
前記入力判定部は、指のタッチサイズ及びツイストジェスチャーであれば写真回転と、手刀のタッチサイズ及びスイープジェスチャーであれば写真キャプチャーと、掌のタッチサイズ及び停止ジェスチャーであれば動画一時停止入力と判定することを特徴とする請求項９に記載の装置。
【請求項１１】
タッチパネルを備える携帯端末機の入力判定方法において、
前記タッチパネルのタッチ感知時にタッチサイズを感知する過程と、
前記タッチサイズの位置変更を分析してタッチインタラクションを判定する過程と、
判定された前記タッチサイズ及びタッチインタラクションによるアプリケーションの機能実行情報を判定する過程と、
前記判定された機能実行情報によって現在実行されているアプリケーションの機能を制御する過程と、
からなることを特徴とする方法。
【請求項１２】
前記タッチサイズは、指、手刀及び掌に互いに別々の大きさとして感知され、前記タッチインタラクションは、ツイスト、スイープ、停止のいずれか一つであることを特徴とする請求項１１に記載の方法。
【請求項１３】
前記機能実行情報判定過程は、指のタッチサイズ及びツイストのタッチインタラクションであれば写真回転と、手刀のタッチサイズ及びスイープのタッチインタラクションであれば写真キャプチャーと、掌のタッチサイズ及び停止のタッチインタラクションであれば動画一時停止入力と判定することを特徴とする請求項１２に記載の方法。
【請求項１４】
タッチパネルを備える携帯端末機の入力判定方法において、
前記タッチパネルの出力とタッチ判定基準値の第１基準値とを比べてタッチ発生の有無を判定する過程と、
前記タッチパネルの出力とサイズ判定基準値として前記第１基準値よりも小さな値を有する第２基準値とを比べてタッチサイズを感知する過程と、
前記タッチサイズの位置変更を分析してタッチインタラクションを判定する過程と、
前記タッチ判定時に前記タッチサイズ及びタッチインタラクションに対応して設定されたアプリケーションの機能実行情報を判定する過程と、
前記判定された機能実行情報により現在実行されているアプリケーションの機能を制御する過程と、
からなることを特徴とする方法。
【請求項１５】
前記タッチパネルは静電容量方式であり、Ｎ×Ｍのノード数を有するタッチパネルであり、
前記サイズ感知過程は、前記タッチパネルのＮ×Ｍノードの出力と前記第２基準値とを比べて、前記第２基準値を超えるノードの数をカウントしてタッチサイズとして感知することを特徴とする請求項１４に記載の方法。
【請求項１６】
前記タッチサイズは、指先、手刀及び掌により別々の大きさを有し、前記タッチインタラクションは、ツイスト、スイープ、停止のいずれか一つであることを特徴とする請求項１５に記載の方法。
【請求項１７】
前記入力判定過程は、指のタッチサイズ及びツイストのタッチインタラクションであれば写真回転と、手刀のタッチサイズ及びスイープのタッチインタラクションであれば写真キャプチャーと、掌のタッチサイズ及び停止のタッチインタラクションであれば動画一時停止入力と判定することを特徴とする請求項１６に記載の方法。
【請求項１８】
携帯端末機のタッチ感知装置において、
タッチパネルを備えるタッチスクリーンと、
前記タッチパネルの出力とタッチ判定基準値の第１基準値とを比べてタッチ発生の有無を判定するタッチ判定部と、前記タッチパネルの出力とサイズ判定基準値の第２基準値とを比べてタッチサイズを感知し、前記第２基準値は、前記第１基準値よりも小さな値を有するサイズ感知部を備えて、前記タッチ判定時にタッチディテクションサイズによりタッチ形態を決める制御部と、
から構成されたことを特徴とする装置。
【請求項１９】
前記タッチパネルは静電容量方式であり、Ｎ×Ｍのノード数を有するタッチパネルであることを特徴とする請求項１８に記載の装置。
【請求項２０】
前記サイズ感知部は、前記タッチパネルのＮ×Ｍノードの出力と前記第２基準値とを比べて、前記第２基準値を超えるノードの数をカウントしてタッチサイズとして感知することを特徴とする請求項１９に記載の装置。
【請求項２１】
前記タッチサイズは、指、手刀及び掌などにより別々に感知されることを特徴とする請求項２０に記載の装置。
【請求項２２】
タッチパネルを備える携帯端末機のタッチ判定方法において、
前記タッチパネルの出力とタッチ判定基準値の第１基準値とを比べてタッチ発生の有無を判定する過程と、
前記タッチパネルの出力とサイズ判定基準値として前記第１基準値よりも小さな値を有する第２基準値とを比べてタッチサイズを感知する過程と、
前記タッチサイズによりタッチ形態を判定する過程と、
からなることを特徴とする方法。
【請求項２３】
前記タッチパネルは静電容量方式であり、Ｎ×Ｍのノード数を有するタッチパネルであることを特徴とする請求項２２に記載の方法。
【請求項２４】
前記タッチサイズを感知する過程は、前記タッチパネルのＮ×Ｍのノードの出力と前記第２基準値とを比べて、前記第２基準値を超えるノードの数をカウントしてタッチサイズとして感知することを特徴とする請求項２３に記載の方法。
【請求項２５】
前記タッチサイズは、指、手刀及び掌などにより別々に感知されることを特徴とする請求項２４に記載の方法。
【発明の詳細な説明】
【技術分野】
【０００１】
本発明は、携帯端末機の入力判定装置及び方法に関し、特にタッチパネルを備える携帯端末機においてタッチ入力を判定する装置及び方法に関する。
【背景技術】
【０００２】
現在、携帯端末機は、入力装置としてタッチパネルを用いるようになりつつあり、前記タッチパネルは、抵抗膜方式、静電容量方式が用いられる。前記抵抗膜方式（感圧式）タッチパネルは、ユーザが画面を押すと、２枚の透明電導膜が互いに当接しながら（電気的接触、圧力）発生した電流と抵抗の変化を感知して入力を判別（横、縦の座標）する。また、前記静電容量方式（以下、「静電式」という）のタッチパネルは、人の身体内にある静電気を利用する方式である。また、前記静電容量方式のタッチパネルの液晶ガラスには、電気が通じる化合物がコーティングされており、電気が流れ続けるが、画面に指が触れると液晶上を流れている電子が接触地点に引かれるようになる。そのようになると、タッチパネルのコーナーのセンサーがこれを感知して入力を判別するようになる。
【０００３】
上記のようなタッチパネルを入力装置として用いる場合、ユーザは指またはペンを用いて入力機能を行なうようになる。しかし、上記のような入力方法は、表示されるメニューを選択し、または文字入力窓を通じて文字を入力する方法である。またアプリケーションの実行中に所望の機能を実行させようとする場合、携帯端末機は当該機能に対するタッチボタンを画面上に表示し、タッチボタンのタッチ感知のときに対応する機能を行う方法を用いるようになる。
【０００４】
上記のようなタッチ方法は、主に指のタッチを感知する方法である。このような場合、ユーザがタッチ入力を発生させようとするとき、携帯端末機はタッチする位置を表示し（メニュー表示、タッチボタン表示など）、ユーザは表示される位置をタッチする方法で入力を行なうようになる。よって、アプリケーションの実行中に特定の機能を実行しようとするユーザは、数回のタッチ動作を行なって当該機能を行なわなければならないという煩わしさがあった。
【発明の概要】
【発明が解決しようとする課題】
【０００５】
本発明は、タッチパネルを備える携帯端末機においてタッチされるサイズ（ｔｏｕｃｈ  ｓｉｚｅ）及びタッチインタラクション（ｔｏｕｃｈ  ｉｎｔｅｒａｃｔｉｏｎ）を分析して携帯端末機の入力を判定することができる装置及び方法を提案する。また、タッチサイズの判定時に携帯端末機の状態に関わらずユーザによってタッチされるサイズを正確に感知することができる装置及び方法を提案する。
【課題を解決するための手段】
【０００６】
携帯端末機の入力判定装置が、タッチパネルを備えるタッチスクリーンと、タッチサイズ及びタッチインタラクションに対応するアプリケーションの機能実行情報を格納するメモリーと、前記タッチパネルのタッチ感知時にタッチサイズ及びタッチインタラクションを判定し、前記メモリーで判定された前記タッチサイズ及びタッチインタラクションに対応する機能実行情報を決定して実行中のアプリケーションの機能を制御する制御部と、から構成されたことを特徴とする。
【０００７】
タッチパネルを備える携帯端末機の入力判定方法が、前記タッチパネルのタッチ感知時にタッチサイズを感知する過程と、前記タッチサイズの位置変更を分析してタッチインタラクションを判定する過程と、判定された前記タッチサイズ及びタッチインタラクションによるアプリケーションの機能実行情報を判定する過程と、前記判定された機能実行情報によって現在実行されているアプリケーションの機能を制御する過程とからなることを特徴とする。
【０００８】
タッチパネルを備える携帯端末機の入力判定方法が、前記タッチパネルの出力とタッチ判定基準値の第１基準値とを比べてタッチ発生の有無を判定する過程と、前記タッチパネルの出力とサイズ判定基準値として前記第１基準値よりも小さな値を有する第２基準値とを比べてタッチサイズを感知する過程と、前記タッチサイズの位置変更を分析してタッチインタラクションを判定する過程と、前記タッチ判定時に前記タッチサイズ及びタッチインタラクションに対応して設定されたアプリケーションの機能実行情報を判定する過程と、前記判定された機能実行情報により現在実行されているアプリケーションの機能を制御する過程とからなることを特徴とする。
【０００９】
携帯端末機のタッチ感知装置が、タッチパネルを備えるタッチスクリーンと、前記タッチパネルの出力とタッチ判定基準値の第１基準値とを比べてタッチ発生の有無を判定するタッチ判定部と、前記タッチパネルの出力とサイズ判定基準値の第２基準値とを比べてタッチサイズを感知し、前記第２基準値は、前記第１基準値よりも小さな値を有するサイズ感知部を備えて、前記タッチ判定時にタッチディテクションサイズによりタッチ形態を決める制御部と、から構成されたことを特徴とする。
【００１０】
タッチパネルを備える携帯端末機のタッチ判定方法が、前記タッチパネルの出力とタッチ判定基準値の第１基準値とを比べてタッチ発生の有無を判定する過程と、前記タッチパネルの出力とサイズ判定基準値として前記第１基準値よりも小さな値を有する第２基準値とを比べてタッチサイズを感知する過程と、前記タッチサイズによりタッチ形態を判定する過程とからなることを特徴とする。
【発明の効果】
【００１１】
タッチパネルを備える携帯端末機において、ユーザは、多様なタッチ形態及び動作でタッチ入力機能を行うことができる。すなわち、本発明は、ユーザの指、手刀（手の小指側の側面）及び掌などのタッチを感知することができ、またこのようなタッチ形態及びタッチインタラクションを総合的に判定して入力を定義することができ、よって、携帯端末機のタッチ入力方法を正確に判定することができる。また、携帯端末機の把持（ｓｕｒｆａｃｅ  ｔｏｕｃｈ）及び未把持（ｆｒｅｅ  ｓｐａｃｅ）状態に関わらず安定してタッチサイズを感知することができ、未把持状態であってもタッチ（ｓｕｒｆａｃｅ  ｔｏｕｃｈ）機能を利用することができる。
【図面の簡単な説明】
【００１２】
【図１】本発明の実施例に係る携帯端末機の構成を示す図である。
【図２】携帯端末機における本発明の実施例に係る制御部の構成を示す図である。
【図３Ａ】本発明の実施例に係るタッチ入力を判定する例を示す図である。
【図３Ｂ】本発明の実施例に係るタッチ入力を判定する例を示す図である。
【図３Ｃ】本発明の実施例に係るタッチ入力を判定する例を示す図である。
【図４Ａ】携帯端末機の把持及び未把持状態におけるタッチ感知特性を説明するための図である。
【図４Ｂ】携帯端末機の把持及び未把持状態におけるタッチ感知特性を説明するための図である。
【図４Ｃ】携帯端末機の把持及び未把持状態におけるタッチ感知特性を説明するための図である。
【図５Ａ】静電容量タッチパネルにおけるタッチ発生時に変化される信号の変化量（ｄｅｌｔａ値）を示す図である。
【図５Ｂ】タッチの有無を判断する基準値を示す図である。
【図６Ａ】Ｐａｌｍ  Ｓｗｅｅｐにおいてサイズ情報を提供するサイズ基準値として５０を用いる場合における把持及び未把持時のタッチノード数を示す図である。
【図６Ｂ】Ｐａｌｍ  Ｓｗｅｅｐにおいてサイズ情報を提供するサイズ基準値として５０を用いる場合における把持及び未把持時のタッチノード数を示す図である。
【図７Ａ】Ｐａｌｍ  Ｓｗｅｅｐにおいてサイズ基準値として２０を用いる場合における把持及び未把持時のタッチノード数を示す図である。
【図７Ｂ】Ｐａｌｍ  Ｓｗｅｅｐにおいてサイズ基準値として２０を用いる場合における把持及び未把持時のタッチノード数を示す図である。
【図８】本発明の実施例に係る携帯端末機におけるタッチサイズ及びタッチインタラクションを判定する制御部の他の構成を示す図である。
【図９】本発明の実施例によりタッチパネルを備える携帯端末機におけるタッチサイズ及びタッチインタラクションを判定する手続きを示す図である。
【発明を実施するための形態】
【００１３】
本明細書と図面に開示された本発明の実施例は、本発明の技術内容を易しく説明し本発明の理解を助けるために特定の例を提示したものに過ぎず、本発明の範囲を限定しようとするものではない。ここに開示された実施例の以外にも、本発明の技術思想に基づいた他の変形例が実施可能であることは、本発明の属する技術の分野における通常の知識を有する者に自明なものである。
【００１４】
先ず、本発明の第１実施例は、タッチパネルを備える携帯端末機におけるタッチサイズ及び タッチインタラクション対応する機能を設定し、タッチの感知時にタッチされるサイズ及びジェスチャーを確認し、これにより設定された機能を行う。このとき、前記タッチは、アプリケーションの実行中に発生することもあり、この場合、別途の入力窓またはボタン表示なしに画面上で直接タッチ動作を行ってなされるようにする。
【００１５】
次に、本発明の第２実施例は、タッチパネルを備える携帯端末機において携帯端末機の置かれた状態に関わらずユーザによりタッチされるサイズを安定して獲得する。現在、タッチパネルは、静電容量方式のタッチパネルが主に用いられている。前記静電容量方式のタッチパネルを用いる場合は、携帯端末機の置かれる位置によりタッチ感度が互いに変わる。すなわち、ユーザが携帯端末機を把持した状態または携帯端末機の置かれた位置が閉ループをなす状態ではタッチ感度が高いのに対し、携帯端末機を把持していない状態であって携帯端末機の置かれた位置が閉ループをなしていない状態（例えば、携帯端末機が机の上のゴム板上に置かれた状態）（以下、このような状態を「未把持（ｆｒｅｅ  ｓｐａｃｅ、ｆｌｏａｔｉｎｇ）状態」という）では、タッチ感度が低下する。よって、携帯端末機の未把持状態であっても安定してタッチサイズを獲得することができる方法が必要である。
【００１６】
以下の説明において「タッチサイズ（ｔｏｕｃｈ  ｓｉｚｅ）」という用語は、タッチパネル（ｔｏｕｃｈ  ｓｃｒｅｅｎ  ｐａｎｅｌ）にユーザの手または指及びペンのタッチにより実際にタッチとして感知されるサイズであり、本発明の実施例では、パネルの各ノードでｔｏｕｃｈ  ｔｈｒｅｓｈｏｌｄ  ｖａｌｕｅを超えるｎｏｄｅの数を意味し、ｔｏｕｃｈ  ｔｈｒｅｓｈｏｌｄは、ノードのｔｏｕｃｈの有無を判断する基準値を意味する。本発明の実施例において、前記ｔｏｕｃｈ  ｔｈｒｅｓｈｌｏｄは、タッチの有無を判定するための第１基準値（ｆｉｒｓｔ  ｔｏｕｃｈ  ｔｈｒｅｓｈｏｌｄ）及び第２基準値（ｓｅｃｏｎｄ  ｔｏｕｃｈ  ｔｈｒｅｓｈｌｏｌｄ、ｓｉｚｅ  ｔｈｒｅｓｈｏｌｄ）を含んでもよく、この場合、第１基準値はタッチパネルのタッチの有無を判定するための基準値として用い、第２基準値はタッチサイズを判定するための基準値として用いてもよい。また、「把持（ｇｒｉｐ（ｈｏｌｄ））」という用語は、携帯端末機が接地端（ｅａｒｔｈ  ｇｒｏｕｎｄ）と閉ループを形成する状態を意味し、「未把持（ｆｒｅｅ  ｓｐａｃｅ、ｆｌｏａｔ）」という用語は、携帯端末機が机などに位置して接地端と閉ループを形成せずまたは不完全な閉ループを形成する状態を意味する。また、タッチインタラクション（ｔｏｕｃｈ  ｉｎｔｅｒａｃｔｉｏｎ）は、タッチパネルにタッチされる動作（ｔｏｕｃｈ  ａｃｔｉｏｎ）を示す。
【００１７】
先ず、前記第１実施例の動作を詳述する。
図１は、本発明の実施例に係る携帯端末機の構成を示す図である。
【００１８】
上記図１を参照すると、通信部１４０は、外部装置または基地局との通信機能を行う。前記通信部１４０は、送信信号をＲＦ帯域に上昇する変換機（ｆｒｅｑｕｅｎｃｙ  ｕｐ  ｃｏｎｖｅｒｔｅｒ）と、電力増幅器などで構成される送信部と、ＲＦ受信号を低雑音増幅する増幅器と、ＲＦ信号を基底帯域に下降変換する変換機（ｆｒｅｑｕｅｎｃｙ  ｄｏｗｎ  ｃｏｎｖｅｒｔｅｒ）などを備えられる。さらに、前記通信部１４０は、前記送信信号を変調して送信部に伝達する変調部及び受信部から出力される信号を復調する復調部を備えられる。ここにおいて、前記変復調部は、通信方式によってＷＣＤＭＡ、ＧＳＭ（登録商標）、ＬＴＥ方式の変復調部であってもよく、またＷＩＦＩ、ＷＩＢＲＯなどの変復調部であってもよい。制御部１００は、携帯端末機の全般的な動作を制御し、本発明の実施例によりｔｏｕｃｈ  ｄｅｔｅｃｅｔｉｏｎ  ｓｉｚｅ及びｔｏｕｃｈ  ｉｎｔｅｒａｃｔｉｏｎを分析して携帯端末機で設定された機能を行う動作を制御する。前記制御部１００は、端末装置のアプリケーションを行うアプリケーション処理部（ａｐｐｌｉｃａｔｉｏｎ  ｐｒｏｃｅｓｓｏｒ）及び通信処理部（ｃｏｍｍｕｎｉｃａｔｉｏｎ  ｐｒｏｃｅｓｓｏｒ）で構成され、この場合、前記通信処理部は、前記通信部１４０において前記送信及び受信信号を変調及び復調する変復調部を備えることができる。
【００１９】
メモリー１１０は、携帯端末機の動作プログラム及び本発明の実施例によるプログラムを格納するプログラムメモリーと、インストールデータ及びプログラム実行中に発生するデータを格納するデータメモリーとを備えることができる。また、前記メモリー１１０は、本発明の実施例によるタッチの有無を判定するための基準値（ｔｏｕｃｈ  ｔｈｒｅｓｈｏｌｄ）と、タッチサイズ及びタッチインタラクションに対応するアプリケーションの機能実行情報などを格納する。
【００２０】
タッチスクリーン１３０（Ｔｏｕｃｈ  Ｓｃｒｅｅｎ  Ｐａｎｅｌ）は、タッチパネルと表示部が一体化したパネルであり、前記制御部１００の制御下において表示データを表示し、ユーザからタッチされる入力を感知する機能を行う。ここで、前記タッチパネルは静電容量方式を用いるものにして説明する。
【００２１】
また、上記のような構成以外に前記携帯端末機は、カメラ、近距離通信部（Ｂｌｕｅｔｏｏｔｈ（登録商標）、ＮＦＣ、ＵＳＢなど）、放送受信部などのモジュールをさらに備えてもよい。上記のような構成を有する携帯端末機において本発明の実施例による制御部１１０は、前記タッチスクリーン１３０のタッチパネルから感知されるｔｏｕｃｈ  ｄｅｔｅｔｅｃｔｉｏｎ  ｓｉｚｅ及びｔｏｕｃｈ  ｉｎｔｅｒａｃｔｒｉｏｎを分析し、該分析されたｔｏｕｃｈ  ｄｅｔｅｔｅｃｔｉｏｎ  ｓｉｚｅ及びｔｏｕｃｈ  ｉｎｔｅｒａｃｔｒｉｏｎに対応する機能を行う。図２は、携帯端末機における本発明の実施例に係る制御部１００の構成を示す図である。
【００２２】
本発明の実施例に係るタッチ感知方法は、ｔｏｕｃｈ  ｓｉｚｅ及びｔｏｕｃｈ  ｉｎｔｅｒａｃｔｉｏｎの感知により行われる。ここにおいて前記タッチ形態は、指以外に手刀及び掌などで行われることができ、タッチ動作は、ドラッグ、回転、ツイスト、スイープ、停止などの多様なジェスチャーを用いてもよい。また、前記メモリー１００に、タッチインタラクション及びタッチサイズにそれぞれ対応する機能実行情報をあらかじめ設定して格納する。この場合、前記制御部１００は、タッチの発生時にタッチサイズを分析して指、手刀または掌のタッチなどを感知することができ、タッチ動作を分析してタッチインタラクションを判定することができる。また、前記判定されたタッチサイズ及びタッチインタラクションにより、前記メモリー１１０に登録されたアプリケーションの機能実行情報にアクセスして当該機能を行う。
【００２３】
上記図２を参照すると,前記タッチスクリーン１３０の構成であり、タッチパネル２１０は、静電容量方式または抵抗膜方式のタッチパネルであってもよい。サイズ感知部２２０は、前記タッチパネルのタッチ発生時に設定された基準値（ｔｏｕｃｈ  ｔｈｒｅｓｈｏｌｄ）を用いて前記タッチパネル２１０のタッチの有無及びタッチされたノード数を感知してタッチされたサイズ（すなわち、タッチされた面積）を判定する。ここにおいて、前記ｔｏｕｃｈ  ｔｈｒｅｓｈｏｌｄは、タッチの有無を判定するための基準値及びタッチサイズを判定するための基準値であってもよい。この場合、前記ｔｏｕｃｈ  ｔｈｒｅｓｈｏｌｄは、タッチの有無を判定するための基準値とタッチサイズを判定するための基準値とを別々に設定してもよい。インタラクション判定部２３０は、一定時間の間隔で前記サイズ感知部２２０で感知されるタッチサイズの位置変更を分析してタッチインタラクションを判定する。ここにおいて、前記タッチインタラクションは、ツイスト、スイープ、停止などのタッチ動作であってもよい。そうすると、入力判定部２４０は、前記サイズ感知部２２０から出力されるタッチサイズ及び前記インタラクション判定部２３０で判定されるタッチインタラクションに基づいてユーザのタッチにより発生する入力を判定する。すなわち、前記入力判定部２４０は、前記タッチサイズ及びタッチインタラクション、また現在実行されているアプリケーションを確認し、前記メモリー１１０で判定されたタッチディテクション及びタッチインタラクションに対応する機能実行情報を確認した後、現在実行されているアプリケーションの機能を行なう。
【００２４】
図３Ａないし図３Ｃは、本発明の実施例によるタッチ入力を判定する例を示す図である。
【００２５】
上記図３Ａは、指で前記タッチパネル２１０にタップ（ｔａｐ）してツイスト（ｔｗｉｓｔ）した場合（ｔａｐ＆ｔｗｉｓｔ）の例であり、図３Ｂは、手刀をタッチパネル２１０にタッチした状態で左から右、または右から左の方向にスイープ（ｐａｌｍ  ｓｗｅｅｐ）した場合の例であり、図３Ｃは、掌をタッチパネル２１０にタッチした後、その状態を維持（ｐａｌｍ  ｔｏｕｃｈ）する場合の例である。この場合、前記タッチパネル２１０にタッチが発生したとき、前記サイズ感知部２２０は、前記タッチ形態（指、手刀、掌など）により別々の大きさのタッチサイズを感知することができる。またインタラクション判定部２３０は、一定時間の間隔で前記タッチパネル２１０の出力から前記タッチサイズの位置変更を分析してタッチ動作（ｔｏｕｃｈ  ａｃｔｉｏｎ）（例えば、ｔｗｉｓｔ、ｓｗｅｅｐ、停止など）を判定することができる。その場合、前記入力判定部２４０は、前記サイズ感知部２２０及びインタラクション判定部２３０の出力からタッチサイズ及びタッチインタラクションを確認した後、前記メモリー１１０を参照して、前記確認されたタッチサイズとタッチインタラクションに設定された機能の入力として判定する。
【００２６】
例えば、上記図３Ａは写真回転、図３Ｂは写真キャプチャー（ｃａｐｔｕｒｅ）、図３Ｃは動画一時停止の機能と設定されると、前記メモリー１１０は下記＜表１＞のような情報を格納することができる。
【００２７】
【表１】
2013097798.tif 000003
【００２８】
この場合、前記入力判定部２４０は、前記サイズ感知部２２０及びインタラクション判定部２３０の出力を分析して、指のタッチサイズでツイスト動作が行なわれると、現在表示されている写真を回転させる入力として判定し、手刀のタッチサイズでスイープ動作が行なわれると、現在表示されている写真をキャプチャーする入力として判定し、掌のタッチサイズで停止動作が行なわれると、現在再生されている動画の再生を一時停止させる入力として判定する。
【００２９】
このとき、上記＜表１＞のような入力命令は、メニューまたはタッチボタンの表示なしに当該アプリケーションを行う状態においてタッチパネル２１０で設定されたタッチインタラクションを行えば良い。すなわち、現在写真が表示されている状態で前記図３Ａのような動作を行うと、前記制御部１００は、タッチスクリーン１３０上に表示される画面を回転させ、上記図３Ｂのような動作を行うと、前記制御部１００は、前記タッチスクリーン１３０に表示される写真をキャプチャーし、上記図３Ｃのような動作を行うと、前記制御部１００は、前記タッチスクリーン１３０に表示される動画を一時停止させる。したがって、ユーザは現在実行中の画面上で設定されたタッチインタラクションを行って実行中のアプリケーションの特定の機能を行うことができる。これによりユーザは、所望の機能を設定するためのメニューやタッチボタンを表示させてタッチする動作を行わなくても良い利点がある。上記のようにアプリケーションを行う状態において制御部１００はユーザのタッチパネル２１０へのタッチ（ｓｕｒｆａｃｅ  ｔｏｕｃｈ）によるタッチサイズ及びタッチインタラクションを分析して現在にアプリケーションで設定された機能を行うことができる。この場合、本発明の実施例では、前記タッチインタラクションは指先以外に手刀、複数の指及び／または掌などによる多様なタッチ動作により行われてもよい。このとき、前記指先を利用する場合には、前記タッチサイズは前記携帯端末機の状態（ｅａｒｔｈ  ｇｒｏｕｎｄ状態またはｆｒｅｅ  ｓｐａｃｅ状態）に関わらず、ほぼ一定のサイズとして感知される。しかしながら、前記掌及び／または手刀などを利用してタッチする場合、前記タッチサイズは携帯端末機の把持または未把持状態（ｆｒｅｅ  ｓｐａｃｅ、ｆｌｏａｔｉｎｇ）によって大きく変わる。
【００３０】
図４Ａないし図４Ｃは、携帯端末機の把持及び未把持状態におけるタッチサイズが感知される特性を説明するための図である。
【００３１】
図４Ａないし図４Ｃを参照すると、静電容量方式のタッチパネル１２０は、携帯端末機の未把持時に携帯端末機と接地端（ｅａｒｔｈｇｒｏｕｎｄ）との間で閉ループ（ｃｌｏｓｅｄ  ｌｏｏｐ）が形成されず、タッチ感度が低下することがある。ここで未把持状態とは、図４Ｂのように前記携帯端末機と接地（ｅａｒｔｈ  ｇｒｏｕｎｄ）との間に不導体などが位置してループを形成することができない状態を意味する。すなわち、前記携帯端末機が皮製ノートなどの上に置かれた場合、前記皮製ノートにより前記携帯端末機が完全な閉ループを形成することができない状態を意味する。つまり、上記図４Ａのようにユーザが端末機を把持した状態でタッチ動作を行うと、前記ユーザにより閉ループを形成するようになり、これによって電荷が接地端（ｅａｒｔｈ  ｇｒｏｕｎｄ）からよく抜け出る。しかしながら、上記図４Ｂのように携帯端末機を未把持の状態でタッチ動作を行うと、電荷がｅａｒｔｈ  ｇｒｏｕｎｄからよく抜け出ることができない。すなわち、未把持状態の場合、上記図４Ｃに示されたように電荷がｅａｒｔｈ  ｇｒｏｕｎｄからよく抜け出ることができず、指（ｆｉｎｇｅｒ）を通じて再びタッチパネル２１０に戻るようになり感度が低下する。
【００３２】
上述のように未把持状態でパターンピッチ（ｐａｔｔｅｒｎ  ｐｉｔｃｈ）以上の面積でタッチした場合、他のチャンネル（ｃｈａｎｎｅｌ）の間で流れる電荷によってタッチの感度が低下する。したがって、携帯端末機の未把持状態でタッチスクリーン１３０のタッチパネル２１０はユーザのタッチ（ｓｕｒｆａｃｅ  ｔｏｕｃｈ）を確実に検出することができない場合があり、これにより制御部１００は実行中のアプリケーションの設定された機能を正常に制御することができない場合がある。下記＜表２＞は、上記図３Ａないし図３Ｃのようなタッチ動作を行う場合の把持及び未把持時の関係を説明するための図である。
【００３３】
【表２】
2013097798.tif 000004
【００３４】
上記＜表２＞は、タッチパネル２１０が１６個の横ノード（Ｘ０−Ｘ１５）及び２６個の縦ノード（Ｙ０−Ｙ２５）で構成された例であり、この場合、タッチの有無を判定するタッチ基準値（ｔｏｕｃｈ  ｔｈｒｅｓｈｏｌｄ）は、５０を用いた場合の例である。また、上記＜表２＞で、把持は把持状態におけるタッチで感知されたノード数を示し、未把持は未把持状態におけるタッチで感知されたノード数を示し、Ｇ（＃）は把持及び未把持状態でタッチ判定されたノード数の差を示し、Ｇ（％）はＧ（＃）の百分率を示している。
【００３５】
上記＜表２＞で示された把持及び未把持状態でタッチ判定されたノード数の結果を検討すると、Ｔａｐ＆Ｔｗｉｓｔの場合１２：１１で、差は１個のノードであり、Ｐａｌｍ  Ｓｗｅｅｐの場合６６：２８で差は３８個のノードであり、Ｐａｌｍ  Ｔｏｕｃｈの場合１４１：７２で、差は６９個のノードであることが分かる。前記結果を見ると、Ｔａｐ＆Ｔｗｉｓｔの場合把持時と未把持時の差があまりないことを確認することができるが、Ｐａｌｍ  Ｓｗｅｅｐ及びＰａｌｍ  Ｔｏｕｃｈの場合では両状態の間のギャップ（Ｇａｐ）に大きな差があることが分かる。すなわち、タッチパネル２１０のタッチ面積の大きなタッチインタラクションが発生する場合、把持及び未把持状態によってタッチパネル２１０で検出されるタッチノード数の差が大きく発生することを確認することができる。
【００３６】
したがって、静電容量方式のタッチパネルを用いる携帯端末機において多様なタッチ形態（指、手刀、掌、複数の指など）を用いる場合、把持であるか未把持状態であるかに関わらずタッチサイズを感知できるようにすることが好ましい。
【００３７】
静電容量方式のタッチパネル２１０のタッチ感知の構成要素を検討する。図５Ａは、静電容量タッチパネルにおけるタッチ発生時に変化される信号の変化量（ｄｅｌｔａ値）を示す図であり、図５Ｂは、タッチの有無を判断する基準値（ｔｏｕｃｈ  ｔｈｒｅｓｈｏｌｄ）を説明するための図である。
【００３８】
上記図５Ａ及び図５Ｂを参照すると、前記静電容量方式のタッチパネル２１０にタッチが発生すると、タッチによりタッチパネルの当該タッチ位置のキャパシタンスが変化して信号（ｓｉｇｎａｌ）値が変わるようになり、このときの変化量をデルタ値という。図５Ａは、タッチパネルにおいてタッチ時に発生するデルタ値の例を示している。図５Ｂにおける参照番号５１１は、タッチパネル２１０上でタッチの有無を判断するための基準値になる。この際、前記タッチパネル２１０にタッチが発生すると、５１３のように基準値よりも大きなサイズを有するデルタ値が発生し、この場合、タッチと判定（ｔｏｕｃｈ＆ａｃｔｉｖｅ）する。しかしながら、タッチパネル２１０にタッチが発生しても、５１５のように基準値よりも小さなサイズを有するデルタ値が発生する場合は、タッチと判定しない（ｔｏｕｃｈ  ｎｏｔ  ａｃｔｉｖｅ）。
【００３９】
この場合、上記タッチサイズは、上記５１１のようなｔｏｕｃｈ  ｔｈｒｅｓｈｏｌｄを超えるノード数になってもよい。すなわち、一般的なタッチ感知方法の場合、ｔｏｕｃｈ  ｔｈｒｅｓｈｏｌｄは一つのみ存在し、制御部１００はこのｔｏｕｃｈ  ｔｈｒｅｓｈｏｌｄによりタッチと判定されたノード数をタッチサイズと感知する。このような方法は、上記＜表２＞で示されるように、把持状態では安定してタッチされたノード数を感知することができるが、未把持状態ではタッチされたノード数を安定して感知することができない。したがって、前記タッチされたノード数を安定して感知するために、前記タッチを判定する第１のｔｏｕｃｈ  ｔｈｒｅｓｈｏｌｄとタッチサイズを判定するための第２のｔｏｕｃｈ  ｔｈｒｅｓｈｏｌｄをそれぞれ別々に用いる方法を利用することができる。すなわち、本発明の実施例では、前記タッチの有無を判定するためのタッチ基準値以外にタッチサイズを判定するための基準値（以下、「ｓｉｚｅ  ｔｈｒｅｓｈｏｌｄ」という）をさらに備え、この場合、前記ｓｉｚｅ  ｔｈｒｅｓｈｏｌｄは前記ｔｏｕｃｈ  ｔｈｒｅｓｈｏｌｄとは異なる値に設定してもよい。ここで未把持状態のタッチ動作の場合、前記ｓｉｚｅ  ｔｈｒｅｓｈｏｌｄは、前記ｔｏｕｃｈ  ｔｈｒｅｓｈｏｌｄよりもさらに低い値を有するように設定してもよい。この場合、前記タッチサイズの認識は、前記タッチ認識とは関係なく、この場合、前記タッチサイズを感知するサイズ感知部２２０は、前記第２のｔｏｕｃｈ  ｔｈｒｅｈｏｌｄのｓｉｚｅ  ｔｈｒｅｓｈｏｌｄを用いてタッチサイズを感知する。
【００４０】
このとき、前記サイズ感知部２２０は、前記ｓｉｚｅ  ｔｈｒｅｓｈｏｌｄとタッチされたノードのデルタ値とを比べてタッチサイズの判定のためのノード情報を発生する。この場合、前記タッチディテクションサイズを正確に感知するために前記ｓｉｚｅ  ｔｈｒｅｓｈｏｌｄを設定するが、前記ｓｉｚｅ  ｔｈｒｅｓｈｏｌｄは、把持であるか未把持状態であるかに関わらずタッチされるノードを正確に判別することができる基準値として設定されなければならない。すなわち、基準値を５０と設定しタッチ方法がＰａｌｍ  Ｓｗｅｅｐ及びＰａｌｍ  Ｔｏｕｃｈの場合、把持及び未把持状態で感知されるタッチサイズ情報に差が大きく発生する。これは、前記タッチの有無を判定するためのタッチ基準値よりも低い基準値を用いる場合、把持及び未把持状態で感知されるタッチサイズ情報が小さくなることを意味する。すなわち、タッチの有無を判定するための基準値に対してタッチと判定されるノード数を実験的に求め、この基準値のうちで把持及び未把持状態でタッチと判定されるノード数が最も小さい誤差を有する基準値をサイズ基準値として設定することができる。下記＜表３＞は、ノード数が１６×２６で構成されるタッチパネル２１０において各基準値別の把持及び未把持時の感知ノード数を示している。
【００４１】
【表３】
2013097798.tif 000005
【００４２】
前記＜表３＞の場合、把持及び未把持状態でＰａｌｍ  Ｓｗｅｅｐ及びＰａｌｍ  Ｔｏｕｃｈのタッチサイズ誤差を有する基準値（閾値）は２０であることが分かる。この場合、タッチ判定のための基準値Ｔｈ１は５０と設定し、サイズ判定のための基準値Ｔｈ２は２０と設定することができる。この場合、前記サイズ基準値Ｔｈ２は、タッチサイズ情報を提供するための目的で用いることができる。
【００４３】
図６Ａ及び図６Ｂは、Ｐａｌｍ  Ｓｗｅｅｐにおいてサイズ情報を提供するサイズ基準値として５０を用いる場合における把持及び未把持時のタッチノード数を示すタッチパネル２１０の状態を示す図であり、図７Ａ及び図７Ｂは、Ｐａｌｍ  Ｓｗｅｅｐにおいてサイズ情報を提供するサイズ基準値として２０を用いる場合における把持及び未把持時のタッチノード数を示すタッチパネル２１０の状態を示す図である。ここにおいて、前記基準値５０は５０×８＝４００で示しており、基準値２０は２０×８＝１６０で示している。この場合、前記基準値を５０として用いる場合は、４００以上と感知されるノードはタッチと判断するようになり、この場合、把持時にタッチと感知されるノード数は図６Ａで示されたように６８個であり、未把持時にタッチと感知されるノード数は図６Ｂで示されたように２８個であることが分かる。また、前記基準値を２０として用いる場合は、１６と以上で感知されるノードはタッチと判断するようになり、この場合、把持時にタッチと感知されるノード数は図７Ａで示されたように８５個であり、未把持時にタッチと感知されるノード数は図７Ｂで示されるように７５個であることが分かる。
【００４４】
したがって、前記Ｐａｌｍ  Ｓｗｅｅｐで基準値が５０の場合は、携帯端末機の把持及び未把持時にタッチと感知されるノード数の差が大きく発生することが分かり、基準値が２０の場合は、携帯端末機の把持及び未把持時にタッチと感知されるノード数の差が大きくないことが分かる。この場合、基準値５０を用いてタッチの有無を判定し、基準値２０を用いてタッチサイズを判定すると、前記タッチパネル２１０にタッチ発生時のタッチの有無及びタッチ感知時にタッチされたサイズを正確に感知することができるようになる。本発明の第２実施例では、タッチパネル２１０のタッチサイズを感知する場合、第１基準値Ｔｈ１を利用してタッチの有無を判定し、第２基準値Ｔｈ２を利用してタッチサイズを感知する方法を提案する。
【００４５】
図８は、本発明の実施例に係るタッチサイズ及びタッチインタラクションを判定する構成を示す図である。
【００４６】
上記図８を参照すると、タッチパネル２１０は、前記タッチスクリーン１３０の構成であり、静電容量方式のタッチパネルであってもよい。タッチ判定部８１０は、タッチ基準値の第１基準値Ｔｈ１を利用してタッチパネル２１０のタッチの有無を判定する。このとき、前記タッチ判定部８１０は、前記第１基準値Ｔｈ１を超える値が一つ以上のノードで感知されるとタッチされたものと判定する。サイズ感知部２２０は、サイズ基準値Ｔｈ２を利用してタッチされた大きさを感知する。このとき、前記タッチ判定部２２０は、前記第２基準値Ｔｈ２を超えるノードを全て感知し、これらのノードの数及び位置を感知してタッチされた面積（大きさ）を感知する。ここにおいて前記第２基準値Ｔｈ２は前記第１基準値Ｔｈ１よりも小さな値に設定され、前記第２基準値Ｔｈ１はタッチされたサイズを判定する基準値としてのみ用いる。このとき、前記タッチサイズはタッチ方法（例えば指、手刀、掌など）により別のパターンとして発生されることができる。したがって、前記サイズ感知部２２０は、前記タッチサイズ感知時にタッチパターンを判定する動作も共に行なわれてもよい。インタラクション判定部２３０は一定時間の間隔で前記サイズ感知部２２０で出力されるタッチサイズ（またはタッチサイズ及びタッチパターン）の位置変更を分析してタッチインタラクションを判定する。このとき、前記タッチインタラクションの判定は、設定された時間間隔でタッチ位置の変更を分析して判断することができる。前記タッチインタラクションは、ツイスト、スイープ、停止などであってもよい。入力判定部２４０は、前記タッチ感知部２２０のタッチサイズ及びインタラクション判定部２３０のタッチインタラクションを分析し、前記分析された結果により現在行われているアプリケーションの動作命令を判定する。すなわち、前記入力判定部は、前記タッチサイズ及びタッチインタラクションに基づいてメモリー１１０に設定されたアプリケーションの機能を制御するための入力を判定する。
【００４７】
上記図８は、携帯端末機のタッチ形態を感知するための装置として用いてもよい。この場合、前記タッチ形態を感知するための携帯端末機の構成は、インタラクション判定部２３０を除いた図８の構成と同様に構成してもよい。この場合、前記制御部１００は、前記タッチ判定部８１０によりタッチ判定時に前記サイズ感知部２２０で感知されるタッチディテクションサイズによってタッチ形態を決めてもよい。
【００４８】
図９は、本発明の実施例によりタッチサイズに対するタッチサイズ及びジェスチャーを判定する手続きを示す図である。
【００４９】
上記図９を参照すると、前記制御部１００は、ステップ９１１でタッチスクリーン１３０のタッチパネル２１０にタッチが発生するか否かを調べる。このとき、前記タッチパネル２１０でタッチ基準値の第１基準値Ｔｈ１を超える信号変化を感知すると、前記制御部１００はステップ９１１でタッチ発生と感知し、ステップ９１３でサイズ基準値の第２基準値Ｔｈ２を超える信号変化を有するノード数をカウントする。このとき、前記カウントされたノード数はタッチサイズとなる。また、前記タッチサイズは、タッチ形態（例えば、指先、手刀、掌など）により別のパターンとして発生される。したがって、前記タッチサイズ感知時にタッチ形態を判定する動作も共に行われてもよい。また、前記制御部１００は、ステップ９１５で前記タッチサイズ（またはタッチサイズ及びタッチパターン）の位置変更を確認してタッチインタラクションを判定する。その後、前記制御部１００は、前記タッチサイズ及びタッチインタラクションを分析してユーザの入力を判定する。すなわち、前記制御部１００は、ステップ９１７でユーザによりタッチされた前記タッチパネル２１０のタッチサイズ及びタッチインタラクションを確認し、前記メモリー１１０で前記タッチサイズ及びタッチインタラクションに設定された入力を確認してユーザ入力を判定する。その後、前記制御部１００は、ステップ９１９で前記判定された入力により現在行われているアプリケーションの該当する機能を制御する。
【００５０】
上記図９で携帯端末機のタッチ形態を感知する動作手続きのみを行ってもよい。ステップ９１５のタッチインタラクションを行う手続きを省略し、ステップ９１７でタッチサイズによるタッチ形態を決める動作を行ってもよい。この場合、前記制御部１００は、前記タッチ判定部８１０によってタッチ判定時に前記サイズ感知部２２０で感知されるタッチディテクションのサイズによりタッチ形態を決めることができる。
【符号の説明】
【００５１】
１００  制御部
１１０  メモリー
１３０  タッチスクリーン
１４０  通信部
【図１】
2013097798.tif 000006
【図２】
2013097798.tif 000007
【図４Ａ】
2013097798.tif 000008
【図４Ｂ】
2013097798.tif 000009
【図４Ｃ】
2013097798.tif 000010
【図８】
2013097798.tif 000011
【図９】
2013097798.tif 000012
【図３Ａ】
2013097798.tif 000013
【図３Ｂ】
2013097798.tif 000014
【図３Ｃ】
2013097798.tif 000015
【図５Ａ】
2013097798.tif 000016
【図５Ｂ】
2013097798.tif 000017
【図６Ａ】
2013097798.tif 000018
【図６Ｂ】
2013097798.tif 000019
【図７Ａ】
2013097798.tif 000020
【図７Ｂ】
2013097798.tif 000021